(57)【特許請求の範囲】
【請求項１】
通路用床下地の形成方法であって、
床基盤上又はその上方に、上方に向けて開放する複数のコンクリート打設空間を規定する型枠であってこれに打設されるコンクリートの天端レベルを指示し、また、該天端レベルに一致する、通行路とされる仮設板のための支持面を規定する複数の金具を有する型枠を配置すること、
前記型枠内に前記金具が指示する天端レベルまでコンクリートを打設すること、
次に、前記型枠の金具の支持面上に、前記仮設板を配置することを含む、通路用床下地の形成方法。
【請求項２】
前記床基盤上に複数の骨組ユニットからなる骨組を設置し、該骨組上に前記型枠を配置する、請求項１に記載の通路用床下地の形成方法。
【請求項３】
前記型枠は、複数の型枠ユニットからなる、請求項１又は２に記載の通路用床下地の形成方法。
【請求項４】
前記型枠ユニットはその内部に配置された補強鉄筋を含む、請求項３に記載の通路用床下地の形成方法。
【請求項５】
前記金具は互いに直交する２つの片部を有するアングル鋼材からなり、前記アングル鋼材は、その一方の片部において前記型枠に固定され、他の一方の片部において前記仮設板のための支持面を規定する、請求項１に記載の通路用床下地の形成方法。
【請求項６】
請求項１に記載の通路用床下地の形成方法に用いられる型枠であって、
上端開放の複数のコンクリート打設空間を備え、
各コンクリート打設空間の開放上端が、打設されるコンクリートの天端レベルを指示し、また、前記仮設板のための支持面を規定する複数の金具により規定されている、型枠。
【請求項７】
請求項１に記載の通路用床下地の形成方法に用いられる型枠であって、
複数の型枠ユニットからなり、
各型枠ユニットが上端開放の複数のコンクリート打設空間を備え、
各コンクリート打設空間の開放上端が、打設されるコンクリートの天端レベルを指示し、また、前記仮設板のための支持面を規定する複数の金具により規定されている、型枠。
【発明の詳細な説明】
【技術分野】
【０００１】
本発明は、建物内の通路のための床下地の形成方法及びこれに用いられる型枠に関する。
【背景技術】
【０００２】
建物の内部に設けられた既存の通路を新たなものに改修し、あるいは既存の通路の一つである階段を傾斜通路に改変することが行われている。
【０００３】
既存の通路の改修又は改変に当たっては、当該通路が現に通行の用に供されているものであるときは、全面通行禁止措置や一部通行禁止措置が採られる。しかし、このような措置は、通行の不便をきたし、また、周囲の施設の運営や店舗の営業に支障をきたす。したがって、このような措置が採られる時間はできる限り短いことが望ましい。
【０００４】
後記特許文献１には、建物内に通路を新設する方法が開示されている。この方法によれば、床版のような床基盤の上に設けられた骨組の上に床下地が形成され、該床下地の上に通路面を規定する仕上げ材が配置される。この方法において、床下地は、前記骨組の上にデッキプレートを配置し、該デッキプレートを型枠としてこれにコンクリートを打設することにより形成され、打設コンクリートがこの上に人が乗れる程度にまで強度を発現した後（すなわちコンクリートが固化した後）、前記床下地のコンクリートの上に前記仕上げ材が配置される。
【０００５】
前記既存の通路の改修又は改変に特許文献１に記載の方法を適用し、その適用に際しては、前記床下地のコンクリートの固化後、前記仕上げ材の配置作業に着手するまでの間、前記床下地のコンクリートの上に仮の仕上げ材を配置し、これにより、仮の通路を提供し、その後、例えば人の通行が途絶え又は制限される深夜の間に前記仮の仕上げ材を撤去して、本来の仕上げ材を設置することが考えられる。これによれば、前記通行禁止措置あるいは一部通行禁止措置の時間の低減を図ることが可能である。しかし、未だ十分であるとは言えない。
【先行技術文献】
【特許文献】
【０００６】
【特許文献１】特開２０００−３０９９９９号公報
【発明の概要】
【発明が解決しようとする課題】
【０００７】
本発明の目的は、建物内の既存の通路の改修又は改変のために採られる全面通行禁止措置又は一部通行禁止措置の時間をより一層短縮することにある。
【課題を解決するための手段】
【０００８】
本発明は、通路用床下地の形成方法に係り、床基盤上又はその上方に、上方に向けて開放する複数のコンクリート打設空間を規定する型枠であってこれに打設されるコンクリートの天端レベルを指示し、また、該天端レベルに一致する、通行路とされる仮設板のための支持面を規定する複数の金具を有する型枠を配置すること、前記型枠内に前記金具が指示する天端レベルまでコンクリートを打設すること、次に、前記型枠の金具の支持面上に、前記仮設板を配置することを含む。
【０００９】
前記型枠は前記床基盤の上に直接に配置し、又は前記床基盤に配置される骨組を介して前記床基板の上方に配置することができ、前記骨組は、好ましくは、複数の骨組ユニットからなる。また、前記型枠は、好ましくは複数の型枠ユニットからなり、前記型枠ユニットはその内部に配置された補強鉄筋を含む。
【００１０】
前記金具は互いに直交する両片部を有するアングル鋼材からなり、前記アングル部材が、その一方の片部において前記型枠に固定され、他の一方の片部において前記仮設板のための支持面を規定するものとすることができる。
【００１１】
本発明は、また、前記通路用床下地の形成方法に用いられる型枠に係り、該型枠は上端開放の複数のコンクリート打設空間を備え、各コンクリート打設空間の開放上端が、打設されるコンクリートの天端レベルを指示し、また、前記仮設板のための支持面を規定する複数の金具により規定されている。
【００１２】
本発明は、さらに、前記通路用床下地の形成方法に用いられる型枠であって、複数の型枠ユニットからなり、各型枠ユニットが上端開放の複数のコンクリート打設空間を備え、各コンクリート打設空間の開放上端が、打設されるコンクリートの天端レベルを指示し、また、前記仮設板のための支持面を規定する複数の金具により規定されている。
【００１３】
本発明によれば、前記型枠のコンクリート打設空間に打設されたコンクリートの固化により、前記型枠とコンクリートとからなる通路用床下地が形成される。打設コンクリートの天端は前記型枠の金具が示すところに従って定めることができ、また、コンクリートが固化するまでの間、前記打設コンクリートの天端をこれと同一レベルにある前記型枠の金物の支持面上に配置された仮設板で覆うことができる。前記仮設板は、前記打設コンクリーの固化後に撤去することができ、撤去後に露出するコンクリート面上に通路面を規定する仕上げ材を設置することができる。
【００１４】
本発明にあっては、前記打設コンクリートの天端は、前記金具を介して前記型枠上に支持された前記仮設板により保護される。このことから、前記打設コンクリートが固化するまでの間、したがって通路の改修又は改変の間、前記仮設板を通行路とする仮の通路を提供することができる。加えて、前記仮設板と仕上げ材との置き換えを例えば人の通行が途絶え又は制限される深夜の間に行うことができる。これにより、既存の通路の改修又は改変のために採られる全面通行禁止措置又は一部通行禁止措置に必要な時間を大幅に短縮することができる。
【００１５】
前記床基盤上に前記型枠が設置される骨組を配置するときは、該骨組を複数のユニットからなるものとすることにより、前記床基盤上への骨組の設置に要する時間、ひいては前記仮設板の設置までに要する時間をより短縮することができる。
【００１６】
前記型枠を複数の型枠ユニットからなるものとするときも、また、その設置に要する時間、ひいては前記仮設板の設置までに要する時間をより短縮することができる。さらに、前記型枠ユニットに配置される補強鉄筋として、これを例えばワイヤーメッシュとすることができる。
【図面の簡単な説明】
【００１７】
【図１】改変後の傾斜通路の概略的な縦断面図である。
【図２】床基盤上に配置された骨組の概略的な平面図である。
【図３】傾斜通路の一部を示す拡大縦断面図である。
【図４】傾斜通路の他の一部の拡大縦断面図である。
【図５】傾斜通路の拡大横断面図である。
【発明を実施するための形態】
【００１８】
図１を参照すると、建物の床スラブのような床基盤１０上に設けられ、通行の用に供されていた既存の通路の一つである階段１２が傾斜通路１４に改変された状態で示されている。
【００１９】
図示の例では、傾斜通路１４を形成するために、床基盤１０上に骨組１６が配置され、該骨組上に、本発明に従って形成された床下地１８が配置され、また、床下地１８上に仕上げ材２０が配置されている。
【００２０】
床下地１８及びその形成方法は、図示の例すなわち既存の階段１２の傾斜通路１４への改変のほか、既存の傾斜通路又は既存の水平通路の改修についても、これに適用することができる。前記既存の傾斜通路又は既存の水平通路の改修にあっては、床下地１８は床基板１０の上に直接に、又は、骨組１６を介して床基板１０の上方に形成することができる。ただし、前記既存の水平通路の改修にあたっては、床下地１８は図示のような傾斜面上にではなく水平面上に配置される。また、図示の骨組１６は、後記するように、床下地１８を傾斜面に沿って支え得るように、これを構成する後記複数の支持脚２６の長さが漸減又は漸増するように設定されているところ、前記既存の水平通路の改修にあたっては、骨組１６の複数の支持脚（図示せず）の長さが同一に設定される。
【００２１】
床下地１８の上に配置された仕上げ材２０は傾斜通路１４の通路面を規定する。仕上げ材２０は、例えば床下地１８の上に敷き詰められる複数のタイルからなる。
【００２２】
図１において、符号２２は階段１２の上端に連なる既存の水平な通路を示す。また、図示の骨組１６及びその上の床下地１８は、それぞれ、水平通路２２に隣接する水平部と、該水平部に連なりかつ床基盤１０に向けて下方に傾斜する傾斜部とからなる。傾斜通路１４は、さらに、前記傾斜部からこれと同じ傾きをもって伸び、床基盤１０に連なる端部２４を有する。
【００２３】
骨組１６は、複数の支持脚２６と、これらの支持脚２６により床基盤１０上に支持された格子フレーム２８（図２参照）とを備える。複数の支持脚２６は、傾斜通路２２の長手方向すなわち傾斜方向に互いに間隔をおいて配置され、さらに、図１の紙背方向に互いに間隔をおいて配置されている。
【００２４】
図３に示すように、支持脚２６はアンカーボルト３０及びプレート３１を介して床基盤１０に固定されている。また、格子フレーム２８は支持脚２６に溶接により固定されている。支持脚２６は、格子フレーム２８を傾斜状態に支持するため、水平通路２２から傾斜通路１４の端部２４に向けて長さ寸法が漸減するように設定されている。図示の支持脚２６及び格子フレーム２８はそれぞれアングル鋼材により形成されている。
【００２５】
図３及び図４に示すように、床下地１８は、型枠３２と、該型枠に打設され固化したコンクリート３４とからなる。型枠３２は、骨組１６の格子フレーム２８上に載置されている。型枠３２は、格子フレーム２８にビス止めされた鋼板からなる矩形状の底板３６と、該底板にビス止めされ底板３６上を縦横に伸び、格子状を呈する複数の側板３８とを備える。底板３６と複数の側板３８とは上方に向けて開放する複数の矩形の凹所すなわち複数のコンクリート打設空間を規定する。
【００２６】
型枠３２は、また、そのコンクリート打設空間にコンクリート３４が打設されるときに該コンクリートの天端４０が位置すべき天端レベルを指示する複数の金具４２を備える。図示の金具４２はアングル鋼材からなる。前記アングル鋼材は型枠３２の各側板３８に固定され該側板に沿って伸びており、前記コンクリート打設空間の開放上端を規定する。より詳細には、金具４２を構成する前記アングル鋼材は、その互いに直交する両片部の一方において側板３８に固定され、他の一方の片部が底板３６に対して平行に伸びている。前記コンクリートの天端レベルは、前記アングル鋼材の他の一方の片部の外側の面、図３で見て仕上げ材２０に相対する平坦な上面４４により示される。したがって、コンクリート３４の天端４０は前記アングル材の上面４４を含む平坦面（傾斜面）上に形成される。
【００２７】
型枠３２の金具４２の上面４４には、仕上げ材２０の配置に先立ち、ベニヤ板、コンクリートパネル等からなる仮設板（図示せず）が一時的に載置される。金具４２の上面４４は前記仮設板をコンクリート３４の天端４０上に支持するための支持面をなす。
【００２８】
また、型枠３２の各コンクリート打設空間には、ワイヤーメッシュのような補強鉄筋４６が配置されている。補強鉄筋４６は必要に応じて配置することができる。ここで、符号４８は、型枠３２の底板３６と補強鉄筋４６との間に間隔を保持するためのスペーサを示す。
【００２９】
仕上げ材２０は、床下地１４における固化後のコンクリート３４の天端４０と、型枠３２の金具４２の上面４４とが規定する平坦面上に接着剤５０を介して接着されている。
【００３０】
図示の例では傾斜通路１４の端部２４は、床基盤１０と仕上げ材２０との間の間隔が比較的狭いため、骨組１６及び型枠３２の配置対象とされていない。その代わりに、端部２４は前記間隔が比較的大きい部分と比較的小さい部分とに分けられている。前記間隔の大きい部分には、型枠３２の金具４２と同じ傾きをなすように配置された同様の金具５２と、ワイヤーメッシュのような補強鉄筋４６と、支持部材５４とが配置され、また、コンクリート３４が打設され、前記間隔の大きい部分のコンクリート３４は固化した状態にある
。補強鉄筋４６は床基盤１０の上に複数のスペーサ５６を介して間隔をおいて配置されている。他方、前記間隔の小さい部分にはコンクリート３４が打設され、前記間隔の小さい部分のコンクリート３４は固化した状態にある。端部２４の金具５２は、型枠３２と支持部材５４とにより支持されている。コンクリート３４の天端４０は、金具５２の上面５８が規定する斜面及びその延長上にあり、仕上げ材２０で覆われている。
【００３１】
傾斜通路１４の形成のために、まず、床基盤１０上に骨組１６を設置する。次いで、この上に床下地１８を形成するために、骨組１６の格子フレーム２８上に型枠３２を設置する。型枠３２の設置後、型枠３２が規定する前記コンクリート打設空間と、傾斜通路１４の端部２４を規定する床基盤１０の上方空間とにコンクリート３４を打設する。型枠３２内に打設されたコンクリート３４は、型枠３２の金具４２によって該型枠内にせき止められた状態におかれ、また、打設コンクリート３４の天端４０は、金具４２の上面４４を定規として打設コンクリート３４を均すことにより、金具４２の上面４４と同レベルの傾斜面に形成することができる。同様に、端部２４の前記上方空間に打設されたコンクリート３４は、金具５２によって該金具間にせき止められた状態におかれ、また、金具５２の上面５８を定規として打設コンクリート３４を均し、さらにその延長部分をも均すことにより、金具４２の上面４４と同レベルの傾斜面からなる天端を有するものとすることができる。
【００３２】
次に、型枠３２の金具４２の上面４４上及び傾斜通路１４の端部２４における金具５２の上面５８上に前記仮設板を配置し、型枠３２、コンクリート３４の天端４０を覆う。これにより、コンクリート３４が固化するまでの間、金具４２，５２上に掛け渡された前記仮設板を仮の仕上げ材として、この上の歩行を可能とすることができる。したがって、前記仮設板は、これに及ぼされる歩行時の外力による撓みのために固化前のコンクリート３４の天端４０に凹みが生じないように、前記コンクリート打設空間の開放端面の面積、端部２４の傾斜方向長さ等を考慮して、打設コンクリート３４を保護し得る機械的強度を有するものが選択される。
【００３３】
コンクリート３４の固化により床下地１８の形成が完了し、コンクリート３４の固化後、前記仮設板を撤去する。次いで、前記仮設板を撤去した後に露出する固化コンクリート３４の天端４０、金具４２，５２の上面４４，５８上に仕上げ材２０を配置し、また、これらに固着する。これにより、傾斜通路１４の形成を完了することができる。前記仮設板の撤去及び前記仕上げ材の配置の作業は、例えば、深夜に行うことができ、これにより前記仮設板上の歩行の障害を回避することができる。
【００３４】
前記床下地の形成方法は、床基盤１０の上に直接に設けられる床下地、及び、水平な床下地の形成について適用可能である。また、改変又は改修の対象である既設の通路が傾斜しているか否か、又は、水平であるか否かを問わず、適用することができる。
【００３５】
前記仮設板上の歩行を可能とすることにより、打設コンクリート３４の固化を待つことなく、傾斜通路１４を実質的に通行の用に供することができる。したがって、傾斜通路１４の形成のために採られる当該通路についての全面通行禁止措置や一部通行禁止措置を、骨組１６及び型枠３２の設置、コンクリート３４の打設及び前記仮設板の配置の作業に必要な比較的短い時間内に限定することができる。この作業時間は、例えば深夜の時間帯に設定することができ、これによれば、深夜以外の時間帯を歩行の用に供することができる。
【００３６】
好ましくは、骨組１６が床基盤１０上で組み立て可能である複数の骨組ユニット（図示せず）からなり、さらに好ましくは、型枠３２が骨組１６の格子フレーム２８上に敷き並べ可能である複数の型枠ユニット（図示せず）からなるものとする。各型枠ユニットは、型枠３２の前記複数のコンクリート打設空間の一部をなす、該コンクリート打設空間より少数の複数のコンクリート打設空間を有する。各型枠ユニットは、型枠３２と同様、前記コンクリート打設空間を規定する１つの底板及び複数の側板を有し、各コンクリート打設空間の開放上端が、打設されるコンクリートの天端レベルを指示し、また、前記仮設板のための支持面を規定する複数の金具により規定されている。前記金具は、型枠３２におけると同様、各側板に固定され該側板に沿って伸びている。複数の型枠ユニットをこれらの側板又は金具が互いに隣接するように配置しかつこれらを互いに連結することにより、型枠３２に組み立てることができる。前記骨組ユニット及び前記型枠ユニットは、工場生産による精度の高いものとすることができ、精度の高い前記ユニットはその組立が容易であり、また、これにより骨組１６及び型枠３２の設置に要する時間、ひいては前記作業時間をより短縮することができる。
【符号の説明】
【００３７】
１０  床基盤
１２  階段
１４  傾斜通路
１６  骨組
１８  床下地
２０  仕上げ材
３２  型枠
３４，４０  コンクリート及びその天端
４２，４４  金具及びその上面
【図１】
0005944680.tif 000002
【図２】
0005944680.tif 000003
【図３】
0005944680.tif 000004
【図４】
0005944680.tif 000005
【図５】
0005944680.tif 000006